【手続補正書】
【提出日】平成19年12月13日(2007.12.13)
【手続補正１】
【補正対象書類名】明細書
【補正対象項目名】全文
【補正方法】変更
【補正の内容】
【書類名】明細書
【発明の名称】  液体分配装置
【特許請求の範囲】
【請求項１】  複数の液体を分配するための装置であって、
（ａ）複数のコンテナと、
（ｂ）前記複数のコンテナのうちの各コンテナと、開口と、の間で、流体連通を可能とする複数の位置と、
前記開口と、出口と、の間で、流体連通を可能とする１つの位置と、
の間で移動可能な、選択バルブと、
（ｃ）前記開口に接続したポンプ手段であって、（ｉ）沈殿槽容器と、（ｉｉ）前記開口に前記沈殿槽容器を接続する導管と、を備えている、ポンプ手段と、
を備えており、
前記沈殿槽容器の内径が前記導管の内径よりも大きくなるように設定されたことを特徴とする液体分配装置。
【請求項２】  分配される任意の液体に対して不活性かつ非混合性を有する液状スペーサが、沈殿槽容器に包含されている請求項１記載の液体分配装置。
【請求項３】  沈殿槽容器の内径が、前記導管の内径の少なくとも２倍の大きさである請求項１又は請求項２に記載の液体分配装置。
【請求項４】  沈殿槽容器の内径が、前記導管の内径の少なくとも３倍の大きさである請求項３に記載の液体分配装置。
【請求項５】  沈殿槽容器の内径が、前記導管の内径の少なくとも５倍の大きさである請求項４に記載の液体分配装置。
【請求項６】  前記液状スペーサがフッ化アルカンからなる請求項１〜５のいずれかに記載の液体分配装置。
【請求項７】  液状スペーサが炭素原子とフッ素原子のみから構成されている請求項１〜６のいずれかに記載の液体分配装置。
【請求項８】  フッ化アルカンが４〜４０の範囲内の炭素数を有する請求項６に記載の液体分配装置。
【請求項９】  フッ化アルカンが６〜１２の範囲内の炭素数を有する請求項８に記載の液体分配装置。
【請求項１０】  請求項１〜９のいずれかに記載の液体分配装置を備えている、物理的及び／又は化学的操作を行うための器具。
【請求項１１】  複数の液体を分配する方法であって、
（ａ）複数の異なる液体の供給源を供給し、
（ｂ）分配される任意の液体に対して不活性かつ非混合性を有する前記液状スペーサを、沈殿槽容器に供給し、
（ｃ）第一の液体と前記液状スペーサとが境界面を形成するように、前記各供給源と開口との間の流体連通を可能にする複数の位置と、前記開口と出口との間の流体連通を可能にする位置と、の間で操作可能な選択バルブを介して、沈殿槽容器の中へ、ポンプ手段を使用して前記第一の液体を引き込み、
（ｄ）前記開口と前記出口との間で流体連通を可能にする位置に選択バルブを切り換え、
（ｅ）液状スペーサを移動させるために、したがって前記第一の流体を移動させるために、前記ポンプ手段を使用することで、前記第一の液体を、前記沈殿槽容器から前記開口を経由して前記出口へと、供給し、
（ｆ）液体の供給源と前記開口との間の流体連通を可能にする他の位置に選択バルブを切り換え、
（ｇ）沈殿槽容器の中にポンプ手段を使用して第二の液体を引き込み、
（ｈ）前記複数の液体の分配を完了するために、必要に応じて、ステップ（ｃ）から（ｇ）を繰り返し、
前記沈殿槽容器が、前記開口に沈殿槽容器を接続する導管の内径よりも大きな内径を有することを特徴とする液体分配方法。
【請求項１２】  沈殿槽容器から液体が引き上げられる各ステップの後に、液状スペーサの液面高さが元に戻るように液状スペーサを補充する請求項１１に記載の液体分配方法。
【発明の詳細な説明】
【０００１】
【発明の属する技術分野】
本発明は、液体分配装置に関し、特に、少なくとも２種類の液体の所定量を分配するための装置に関するものである。また、本発明は、前述したような液体分配装置を使用する化学的及び物理的操作を実行するための器具、及び複数の液体を分配する方法に関するものである。
【０００２】
【従来の技術】
短期間に多数の化学的及び又は物理的操作を実行したいという要望は、特に、化学反応の組み合わせ技術分野において周知である。これらの操作の実行を可能にするために、自動化システムが、複数の反応器で異なる液体の所定量を分配するために必要とされる。
【０００３】
所定量の液体の分配は、概して、液体の中に引き込み、明細書に記載した例えばピストンを包含するポンプ、例えば注射器若しくはそのようなもので、その液体の量を排出することにより成し遂げられる。コンパクトにするために装置に機能を付与することによって、小数の制御手段が必要とされるので、ロボット操作設備のような自動化装置では、同じポンプと共に異なる液体の所定量を分配することが有利である。しかしながら、排出された後のポンプの死角に残留する液体が、その後に入れられる他の液体と混合されるかもしれないので、異なる液体を同じポンプで使用することは、互いの異なる液体が汚染される結果になる。少なくともポンプの死角を満たすだけの容量の液状スペーサを含むポンプを使用することにより、汚染を減少させることができることが知られている。液状スペーサは各々不活性でなければならず、かつ、分配される各液体が非混合性を備えていなければならない。
【０００４】
液状スペーサを含む一つの注射器が使用される間に、異なる液体の所定量を分配する装置が知られている。しかしながら、仮に幅広い種類の液体（水溶性の有機物溶液を含む）が分配されると、液状スペーサと一体の液体及び互いに一体の液体の汚染が、分配される液状スペーサと液体の間の境界面の破壊が原因で容易に起こる。仮に第一の液体が、すでに液状スペーサを含む注射器若しくはそのようなものに引き込まれると、境界面が液状スペーサと第一の液体の間に形成される。第一の液体の引き込みと排出の間において、境界面は剪断力が生じるために移動されかつ破壊され、例えば、注射器の先端部において、他の液体の一つの小滴になる。結果として排出された第一の液体は、液状スペーサと共に汚染されるかもしれず、液状スペーサは注射器内に残るかもしれない第一の液体の小さな総量からなる。第二の液体が注射器内に引き込まれたとき、残りの第一の液体と共に容易に汚染される。少量の液体、例えばミリリットルに至るまでマイクロリットル程度の量を分配する場合において、内径が概略０．０１〜５ｍｍ程度である導管が一般に使用され、特にほとんどが０．５〜１．５ｍｍの範囲内である。小さな導管が使用されるとき、形成された小滴は、一般に小滴が形成された導管内で導管の内径と同程度の直径をもつ。その結果として、形成された小滴は、周囲の液体を通過して自由に移動することができず、周囲の液体に汚染を付与する。この現象は、時として”プラグ汚染”として知られている。
【０００５】
【発明が解決しようとする課題】
したがって本発明の目的（課題）は、供給される液体が有機物溶液を包含する場合を含めて、互いの液体の汚染が最小化された共通のポンプを使用する異なる液体の、とりわけ約マイクロリットルからミリリットル程度に至るまでの所定量を分配するための改良した装置を提供することである。
【０００６】
【課題を解決するための手段】
上記課題を解決するため、請求項１の発明では、
複数の液体を分配するための装置であって、
（ａ）複数のコンテナと、
（ｂ）前記複数のコンテナのうちの各コンテナと、開口と、の間で、流体連通を可能とする複数の位置と、
前記開口と、出口と、の間で、流体連通を可能とする１つの位置と、
の間で移動可能な、選択バルブと、
（ｃ）前記開口に接続したポンプ手段であって、（ｉ）沈殿槽容器と、（ｉｉ）前記開口に前記沈殿槽容器を接続する導管と、を備えている、ポンプ手段と、
を備えており、
前記沈殿槽容器の内径が前記導管の内径よりも大きくなるように設定された。
【０００７】
請求項２の発明では請求項１の発明において、分配される任意の液体に対して不活性かつ非混合性を有する液状スペーサが、沈殿槽容器に包含されている。
【０００８】
請求項３の発明では請求項１又は請求項２の発明において、前記導管の内径の少なくとも２倍の大きさである。
【０００９】
請求項４の発明では請求項３の発明において、沈殿槽容器の内径が、前記導管の内径の少なくとも３倍の大きさである。
【００１０】
請求項５の発明では請求項４の発明において、沈殿槽容器の内径が、前記導管の内径の少なくとも５倍の大きさである。
【００１１】
請求項６の発明では請求項１〜５のいずれかの発明において、前記液状スペーサをフッ化アルカンとした。
【００１２】
請求項７の発明では請求項１〜６のいずれかの発明において、液状スペーサが炭素原子とフッ素原子のみから構成されるようにした。
【００１３】
請求項８の発明では請求項６の発明において、フッ化アルカンが４〜４０の範囲内の炭素数を有するようにした。
【００１４】
請求項９の発明では請求項８の発明において、フッ化アルカンが６〜１２の範囲内の炭素数を有するようにした。
【００１５】
請求項１０の発明では、物理的及び／又は化学的操作を行う器具が請求項１〜９のいずれかに記載の液体分配装置を備えている。
【００１６】
請求項１１の発明は、複数の液体を分配する方法であって、
（ａ）複数の異なる液体の供給源を供給し、
（ｂ）分配される任意の液体に対して不活性かつ非混合性を有する前記液状スペーサを、沈殿槽容器に供給し、
（ｃ）第一の液体と前記液状スペーサとが境界面を形成するように、前記各供給源と開口との間の流体連通を可能にする複数の位置と、前記開口と出口との間の流体連通を可能にする位置と、の間で操作可能な選択バルブを介して、沈殿槽容器の中へ、ポンプ手段を使用して前記第一の液体を引き込み、
（ｄ）前記開口と前記出口との間で流体連通を可能にする位置に選択バルブを切り換え、
（ｅ）液状スペーサを移動させるために、したがって前記第一の流体を移動させるために、前記ポンプ手段を使用することで、前記第一の液体を、前記沈殿槽容器から前記開口を経由して前記出口へと、供給し、
（ｆ）液体の供給源と前記開口との間の流体連通を可能にする他の位置に選択バルブを切り換え、
（ｇ）沈殿槽容器の中にポンプ手段を使用して第二の液体を引き込み、
（ｈ）前記複数の液体の分配を完了するために、必要に応じて、ステップ（ｃ）から（ｇ）を繰り返し、
前記沈殿槽容器が、前記開口に沈殿槽容器を接続する導管の内径よりも大きな内径を有するようにした。
【００１７】
請求項１２の発明では請求項１１の発明において、沈殿槽容器から液体が引き上げられる各ステップの後に、液状スペーサの液面高さが元に戻るように液状スペーサを補充するようにした。
【００１８】
【発明の実施の形態】
本発明は、各液体、ポンプ、選択バルブ、及び供給導管用のコンテナを構成する少なくとも二つの液体の所定量を供給するための装置であり、選択バルブが少なくとも２つの入口を包含し、それぞれのコンテナに互いに接続し、開口がポンプに接続し、そして出口が導管に接続し、前記選択バルブは、それぞれの入口と前記開口の間の流体連通を可能にする少なくとも２つの位置を有しており、かつ一つの位置が開口と出口の間の流体結合を可能にし、ポンプは入口と出口開口をもつシリンダ内にピストンを包含し、ポンプはさらに出入口開口から選択バルブの開口に延びる導管に配置した細長い沈殿槽容器を構成し、沈殿槽容器の内径は出入口開口から選択バルブの開口に延びる導管の内径よりも大きい。
【００１９】
ポンプは、供給される任意の液体に関して不活性でかつ非混合性の液状スペーサを含んでいるのが好ましい。
【００２０】
沈殿槽容器の内径は、導管の内径よりも少なくとも２倍以上大きいのが好ましい。さらに、沈殿槽容器の内径は、導管の内径よりも少なくとも３倍以上大きいのが好ましい。沈殿槽容器の内径が導管の内径よりも少なくとも５倍以上大きいのが最も好ましい。
【００２１】
本発明は、今、特に図面に関連する実施例により描写される。
図１は、本発明による装置の概略図である。
図２は、図１に記載された装置の部分図であり、供給された液体がちょうど使用するポンプに引き込まれるとき、液状スペーサと供給された液体の間の境界面の位置を示している。
図３は、供給された液体の大部分が、すでに分配された後の境界面の位置を示す図２に類似した図である。
【００２２】
図１に示す装置は、３つのコンテナ１，２，３を包含し、各々分配された液体１１，１２，１３を収容している。各々分配された異なる液体が収容されている、より多くのコンテナが存在することは、当該技術分野の人に理解されている。３つのコンテナは、単にこの実施例において本発明の操作原理を説明するため使用されているに過ぎない。装置はさらに、ポンプ２０、選択バルブ３０、及び供給導管４０を包含している。選択バルブ３０は、各コンテナに対してそれぞれ入口３１，３２，３３を構成している。すなわち、入口がそれぞれコンテナのうちの一つにそれぞれ接続されている。コンテナ１，２，３は、それぞれ供給導管５１，５２，５３により選択バルブ３０の入口３１，３２，３３に接続される。選択バルブ３０は、さらにポンプ２０に接続された開口３４と、供給導管４０に接続された出口３５とを包含している。選択バルブ３０は、４つの異なる位置にセットすることができる、すなわち、３つの位置は、入口３１，３２，３３のうちの一つと開口３４の間の流体連通を可能にし、液体１１，１２，１３のうちの一つがポンプ２０の中から吸引されることを可能にし、１つの位置は開口３４と出口３５の間の流体伝達を可能にするので、吸引された液体は供給導管４０を介して分配することができる。供給導管４０は、ガラス瓶若しくはその類のもの（図示せず）のような化学反応容器に液体を供給することができる。一般に、選択バルブ３０は、ｎが入口数であるとすると、ｎ＋１個の位置に組み込むことができる。本実施例において、これは供給される液体用コンテナの数と等しい。
【００２３】
ポンプ２０は、出入口開口２３を有するシリンダ２２内にピストン２１を包含している。出入口開口２３は、導管２４により選択バルブ３０の開口３４と接続されている。細長い沈殿槽容器２５は導管２４の両端の間に配置されている。図１に示す装置の通常運転中において、沈殿槽容器は不活性でありかつ液体１１，１２，１３のいずれに対しても非混合性を備えており、そして実質的に垂直に方向付けて配置されている液状スペーサ６０を含んでいる。ポンプ２０の中に最大量の液体が吸引されたときでさえも、液状スペーサ６０の総量は、分配された液体がシリンダ２２内に入ることができないような量である。すなわち、液状スペーサ６０の容量は、ピストン２１の押しのけ容積よりも大きい。沈殿槽容器２５の容量と配置は、通常運転中、ポンプ２０により吸引された液体１１、１２若しくは１３と液状スペーサ６０の間の境界面が沈殿槽容器２５に残るような容量と配置になっている。
【００２４】
装置の操作は、今、説明される。
選択バルブは、入口３１，３２，３３と開口３４の間の流体連通を可能にする位置の一つに組み込まれる。その後、液体１１，１２，１３のうちの一つの総量が、ポンプ２０によって吸引される一つ若しくはそれ以上の化学反応容器（図示せず）に分配されるので、吸引された液体と液状スペーサ６０の間の境界面６１が、第一の位置において沈殿槽容器２５内に残る。沈殿槽容器２５内における境界面６１のこの第一の位置が図２に示されており、その位置は、ポンプ２０の中に吸引される供給された液体１１の総量の位置で示されている。続いて、選択バルブは開口３４と出口３５の間の流体連通可能な位置に組み込まれ、液体１１の所定量が化学反応容器（図示せず）に供給出口４０を介して分配される。沈殿槽容器２５の大きさは、液体１１の供給後、液体１１と液状スペーサ６０の間の境界面６１が、図３に示す第二の位置において、まだ沈殿槽容器２５内に残っているような大きさである。
【００２５】
化学反応容器への液体１１の供給後、好ましくは、液状スペーサ６０が供給導管４０に入ることがないようにポンプに残っている液体１１が排出される。選択バルブ３０は、その後例えば入口３２と開口３４の間で流体連通が可能になる位置に組み込まれる。そのとき、液体１２の総量がポンプで吸引されるので、吸引された液体１２と液状スペーサ６０の間の境界面６１は、沈殿槽容器２５内の第一の位置にある。これは、液体１１用に確立された第一の位置から異なる第一の位置になってもよく、化学反応容器に分配される各液体の容量の合計で決定される。これらの液体の異なる量が実際に化学反応容器に分配されるにも関わらず、多少の事情で、分配される各液体の同じ総量を吸引することが好ましい。これらの事情において、分配されたそれぞれの液体の異なる容量が化学反応容器への分配操作が完了した後に、無駄な貯蔵を除去しなければならない。その後、選択バルブは開口３４と出口３５の間の流体連通を可能にする位置に組み込まれ、液体はポンプから供給導管４０に排出される。供給導管４０内にまだ残っている液体１１の総量を排出した後に、液体１２の所定量が化学反応容器（図示せず）へ分配される。上述の手順は、供給された全ての液体に対して繰り返される。
【００２６】
上述したように、図１に示した装置は、供給される液体用の３つのコンテナを有し、多くて３つの異なる液体が１つのポンプ２０で供給することができる。本発明による装置は、少なくとも１０個のコンテナと１つのポンプで構成するのが好ましく、さらに、少なくとも２０個のコンテナと一つのポンプで構成するのがより好ましい。
【００２７】
沈殿槽容器２５の内径は、少なくとも導管２４の内径の２倍以上大きいのが好ましく、少なくとも３倍以上であるのがさらに好ましく、少なくとも５倍以上であるのが最も好ましい。沈殿槽容器２５の内径は、上で説明しかつ図２と図３に示した境界面６１の第１と第２の位置の間の内径として限定される。一般に沈殿槽容器２５の内径は、導管２４の内径の２０倍より大きくない。
【００２８】
本発明による装置は、一般に異なる液体のマイクロリットル程度の少量を供給するために適用されるのが好ましい。そのような少量のための装置において、導管２４のような導管の内径は、一般に約０．０５〜１．５ｍｍ程度である。したがって沈殿槽容器２５の内径は、好ましくは少なくとも３ｍｍであり、より好ましくは少なくとも５ｍｍ、そして少なくとも８ｍｍであるのが最も好ましい。
【００２９】
本発明による沈殿槽容器の使用は意義深いことに、境界面６１の破壊の発生を減少させ、従ってかなりの小滴は、他の液若しくは複数の液において複数の液層のうちの一つを形成することがわかる。さらに小滴が形成されると、沈殿槽容器２５の広さは、境界面６１に到達して合体するように、小滴を互いに通過させかつ液体の周囲を自由に移動することを可能にする。
【００３０】
通常運転中、選択バルブ３０と供給導管５１，５２，５３に関して沈殿槽容器２５の位置は、沈殿槽容器２５の低位部分に含まれる高い濃度を有する液体のようなものであることが認識される。図１から図３に示した実施例において、液状スペーサ６０は液体１１よりも高い濃度をもち、したがって、沈殿槽容器２５は選択バルブ３０の下方に位置付けられる。当該技術分野の熟練者は、仮に分配される液体よりも低い濃度をもつ液状スペーサ６０が使用される選択バルブ３０に関連して沈殿槽容器２５の代わりに使える処理を認識している。
【００３１】
汚染を最小限にするために、液状スペーサ６０と分配される各液体１１，１２，１３の間に濃度差があることが重要である。その濃度差は、少なくとも０．０５×１０３ｋｇ／ｍ３であることが好ましく、さらに少なくとも０．１×１０３ｋｇ／ｍ３であることがより好ましい。
【００３２】
概して、ポンプ２０は、図１に示すような一つのピストン構造シリンダ２２と沈殿槽容器２５とを備えている。しかしながら本発明の装置は、一つの沈殿槽容器に接続した一つよりも多いピストン構造シリンダを備えている。異なる精度が必要とされる、例えば、一つの液体がマイクロリットル程度でかつ他の液体がミリリットル程度で供給されなければならないという条件において、一つよりも多いピストン構造シリンダは有利に使用することができる。
【００３３】
フッ化アルカンは幅広い種類の水溶液と有機溶液の両方と不活性でありかつ非混合性を有するので、フッ化アルカンは本発明による装置に液状スペーサとして非常に適していることがわかる。その上、フッ化アルカンは、幅広い水溶液と有機溶液と共に十分な濃度差が存在するような一般に約１．７×１０３ｋｇ／ｍ３程度の高い濃度をもつ。液状スペーサとしてフッ化アルカンの使用のさらに有利な点は、フッ化アルカンは水溶性及び／又は有機的なゴミの流れと容易に分離することができ、従って再利用に適していることである。
【００３４】
液状スペーサとして使用する液体は、フッ化アルカンに限定する必要はない。それらは水素、酸素及び／又は窒素原子のような炭素とフッ素以外の原子からなる有機液であってもよい。しかしながらフッ化アルカン、すなわち炭素とフッ素原子のみで構成している全てのフッ化アルカンが好ましい。
【００３５】
液状スペーサは通常運転状態の下で液相にならなければならないことが認識されている。一般に本発明による装置は、大気圧下でかつ１０℃から６０℃の温度範囲で運転される。その上、好ましいフッ化アルカンは、４から４０の範囲の炭素数を備えている。さらに好ましいフッ化アルカンは、６から１２の範囲の炭素数を備えている。特に適したフッ化アルカンは、Ｃ８Ｆ１８である。
【００３６】
本発明の装置は、例えば組み合わせ化学若しくは迅速な触媒スクリーニングの技術分野において、物理的及び／又は化学的操作を行うための一組の器具である。装置は、自動化した器具の一部で形成してもよい。したがって、本発明はさらに上述したような装置を構成する物理的及び／又は化学的操作を実行するための器具に関するものである。さらなる側面において、本発明は、複数の液体を分配する方法に関するものである。その方法を以下に記す。
（ａ）複数の異なる液体の供給源を供給し、
（ｂ）分配される任意の液体に対して不活性かつ非混合性を有する前記液状スペーサを、沈殿槽容器に供給し、
（ｃ）第一の液体と前記液状スペーサとが境界面を形成するように、前記各供給源と開口との間の流体連通を可能にする複数の位置と、前記開口と出口との間の流体連通を可能にする位置と、の間で操作可能な選択バルブを介して、沈殿槽容器の中へ、ポンプ手段を使用して前記第一の液体を引き込み、
（ｄ）前記開口と前記出口との間で流体連通を可能にする位置に選択バルブを切り換え、
（ｅ）液状スペーサを移動させるために、したがって前記第一の流体を移動させるために、前記ポンプ手段を使用することで、前記第一の液体を、前記沈殿槽容器から前記開口を経由して前記出口へと、供給し、
（ｆ）液体の供給源と前記開口との間の流体連通を可能にする他の位置に選択バルブを切り換え、
（ｇ）沈殿槽容器の中にポンプ手段を使用して第二の液体を引き込み、
（ｈ）前記複数の液体の分配を完了するために、必要に応じて、ステップ（ｃ）から（ｇ）を繰り返し、
前記沈殿槽容器は、前記開口に沈殿槽容器を接続する導管の内径よりも大きな内径を有する。
【００３７】
上述した装置の変形例として、さらにコンテナが液状スペーサを補充するために提供される。その器具が第一の液体を分配する準備がされるとき、及び供給導管４０の下流の全ての反応容器がそれぞれ受け取る第一の液体の量を備えた後に、装置に存在する第一の液体の残余の総量になるようにしてもよい。第二の液体がポンプにより引き込まれる前に、残余の第一の液体は除去しなければならない。これは、供給導管４０経由でゴミ貯蔵所に残余の第一の液体を抜くことにより行われる。このステップの結果として少量の液状スペーサ６０が、また、供給導管４０の中を通り、したがって液状スペーサは、例えばさらなるコンテナといった液状スペーサの供給源に選択バルブを接続することにより元の液面高さまで補充することが必要である。これは、他の入口３１，３２，３３と開口３４の間の流体連通を可能にする位置に選択バルブを切り換える前の準備段階として行われる。明確に示した実施例に関連して本発明を上述したが、変形例と部分的な変更は請求の範囲から逸脱することなく行うことが可能であることは、当該技術分野の熟練者に理解されるであろう。
【図面の簡単な説明】
【図１】  本発明による装置の概略図である。
【図２】  図１に記載された装置の部分図であり、供給された液体がちょうど使用するポンプに引き込まれるとき、液状スペーサと供給された液体の間の境界面の位置を示している。
【図３】  供給された液体の大部分が、すでに分配された後の境界面の位置を示す図２に類似した図である。
【符号の説明】
１〜３  コンテナ
１１  第１の液体
１２  第２の液体
１３  第３の液体
２０  ポンプ
２１  ピストン
２２  シリンダ
２３  出入口開口
２４  導管
２５  沈殿槽容器
３０  選択バルブ
３１〜３３  入口
３４  開口
３５  出口
４０  供給導管（delivery conduit）
５１〜５３  供給導管（supply conduit）
６０  液状スペーサ
６１  境界面